(57)【要約】【課題】被せられた補綴だけ簡単かつ容易に除去することができる歯科用補綴の除去部材及びその製造方法を提供する。【解決手段】手作業用ハンドル機構１０に結合される頭部１１０を３つに分割して構成し、金属結合によるノイズを吸収し、金属結合体の衝突による衝撃力を緩和させてくれ、前記手作業用ハンドル機構１０を回転させながら下方に加圧した場合、その加圧力を支える回転圧迫部１２０を形成して、前記補綴物２０とネジ結合を形成することができるネジ部１３０を形成するが、補綴物の厚さに適したネジ山のピッチを形成しており、歯の表面に接する部位に平らか、ラウンドするように形成された底面部１４０を含んでいる。【選択図】図１
2017104504.tif 000002
【特許請求の範囲】
【請求項１】
手作業用ハンドル機構の回転に応じて、その回転力を伝えることができる第１のヘッドと第２のヘッドと弾性ヘッドとを含んでいて、前記弾性ヘッドが前記手作業のハンドルと前記第１のヘッドと第２のヘッドとの間の金属衝撃力を緩和させ、弾性結合力を補う頭部と；
前記頭部の下端と接続されており、前記手作業用ハンドル機構に装着された状態で、前記手作業用ハンドル機構を歯の方向に力を加えて回転させる場合、補綴物とネジ部との間にネジ結合を形成することができるように補助してくれる回転圧迫部と；
前記回転圧迫部の下端に接続されており、前記手作業用ハンドル機構により回転される場合、前記補綴物の穴に挿入されて、前記補綴物とのネジ結合を形成することになるネジ部と；
前記ネジ部の下端に接続されており、前記ネジ部の直径に比べて、より小さな直径を持っており、その下端面が平らな平面であるか、歯の方向に緩やかにラウンドさせ形成された底面部と；
が含まれており、
前記頭部の最上段と前記底面部の最下段との間の全体の長さは８ミリメートル乃至３０ミリメートルの範囲にあり、
前記頭部の長さは３ミリメートル乃至８ミリメートルの範囲にあり、
前記ネジ部の長さは４ミリメートル乃至２０ミリメートルの範囲にあり、
前記回転圧迫部の外径の直径の長さは４ミリメートル乃至１０ミリメートルの範囲にあることを特徴とした、歯科用補綴の除去部材。
【請求項２】
前記ネジ部は、ネジのピッチを０．１５ミリメートル乃至０．６ミリメートルの範囲で形成することを特徴とする、請求項１に記載の歯科用補綴の除去部材。
【請求項３】
鋼棒を複合機に装着し、その鋼棒の直径を４ミリメートル乃至１０ミリメートルの範囲で形成した後、前記鋼棒の先端部分にブレードを利用して、ミーリング加工によって頭部を形成するが、前記頭部の長さを３ミリメートル乃至８ミリメートルの範囲で形成する頭部の第１の加工段階（Ｓ２１０）と；
前記ミーリング加工作業を停止し、切断オフを利用して、旋盤加工により前記頭部の中央部に弾性体の結合溝を形成する頭部の第２加工段階（Ｓ２２０）と；
前記切断オフの動作を停止し、第２の切断オフを回転圧迫部の下端から底面部に至るまで緩やかな傾斜をなして旋盤加工を継続することにより、回転圧迫部を形成するとともに、ネジ部を形成することができる斜面を提供するテーパ加工段階（Ｓ２３０）と；
前記第２の切断オフの作業を停止し、旋盤作業を継続しながら、前記傾斜面にネジ山を形成するが、前記ネジ山のピッチを０．１５ミリメートル乃至０．６ミリメートルの範囲で形成するネジ山形成段階（Ｓ２４０）と；
前記旋盤作業を続けながら、前記ネジ山が形成された下部に接続されて底面部を形成するが、ネジ山が形成されておらず、円形の棒形状に構成されており、その先端を平らに形成し、又は緩やかにラウンドさせ形成する底面部形成段階（Ｓ２５０）と；
が含まれていることを特徴とした、歯科用補綴の除去部材の製造方法。
【発明の詳細な説明】
【技術分野】
【０００１】
本発明は、簡単な歯科用補綴の除去部材に関するもので、より詳細には、歯の外面に被せられた補綴を複雑で面倒な機械器具を使用せずに、ユーザーが、周辺の歯に全く損傷を与えず、目的の対象となる歯に被せられた補綴だけ簡単かつ容易に除去することができる歯科用補綴の除去部材及びその製造方法に関するものである。
【背景技術】
【０００２】
一般的に、虫歯、または事故による外傷などの理由で破損して失われた歯を治療した後、その上に金や銀などの合金素材で補綴（クラウン）を被せて、元の歯の機能を回復させて使用している。
【０００３】
これらの補綴は、患者のブラッシング習慣、食べ物を噛む習慣などにより、一定期間の寿命を持つようになって、その寿命期間が経過したり、新たに歯を矯正したり、治療が必要な場合、その歯にかぶせられた補綴を除去する必要性が提起されている。
【０００４】
歯科治療において、補綴物を除去する必要がある場合には、歯の治療を受けなければならない患者の立場を細かく検討する必要がある。歯科治療では、肉体的精神的に健康な人が、正常な状態で歯科治療に臨むようになる。したがって、歯の患者は、歯の治療過程中に発生する痛みや、治療の過程中に発生されるドリル動作の騒音や、ドリル作業中に発生する各種の異物などをそのまま認知するようになり、小さな口腔内で行われる各種の機構とその使用方法などとを正常な状態でほぼそのまま認識することになる。この点で、患者と治療医師との間でかなりの程度の信頼関係が形成されており、歯科治療に使用される機械器具等が患者側に脅威として認識されていないことを確認し、歯科治療中に嫌悪感などを提供していてはいけないという点が非常に重要である。
【０００５】
一方、歯に被せられた補綴を除去する方法はいろいろ存在している。
【０００６】
従来は、主にハサミの形の鉗子を用いて補綴を持って回して取り外したり、フック型機構を利用して、補綴を上げる方法をとった。この方法は、補綴をもっと簡単に除去するために、回転切断ドリルを用いて、まず、前記補綴の上部を１字または十字に切開した後、前記ハサミの形の鉗子を使用するか、前記フック型器具を使用したりもした。
【０００７】
しかし、このような方式を使用する場合は、前記鉗子と補綴の接触面や前記フックと補綴の接触面ですべりが発生することになるので、補綴が容易に抜けないようになって、過度の力を加えると、患者に不快感を与えたりする。また、目的の対象となる歯はすでに保持力が弱くなっているので、小さな力でも、その歯に損傷を与えることになって、ひどい場合には、予期せず、その歯が抜歯されてしまう場合もある。また、従来の方式の場合、患者の口腔内に傷をもたらす与えるされている現象もしばしば発生する問題があった。
【０００８】
このような従来の方式とは異なり、補綴物にネジ部材を挿入させた後、そのネジ部材をさらに回転させて、歯から前記補綴物を軽く持ち上げるように補綴物を除去する方法が紹介されている。この方法は、韓国実用新案登録第２０−４３２２２７号「油圧補綴物除去装置」と、同第２０−４３２２２８号「補綴物除去装置」と、同特許登録第１０−１０９０１７５号「歯科用補綴物の除去機」を通じ、当該技術分野に知られている。（図７ａおよび図７ｂを参照）。
【０００９】
しかしながら、前述の補綴物除去装置は、まさに多数の部品を機械的に結合させたものであって、患者の口腔内に入れて使用することができているのかどうかを確認することができない短所がある。また、たとえこれらのデバイスは、患者の口腔内に入ることができるといっても、歯の患者が、そのような装置を患者自身の口腔内に入れ送り治療を受けることができるよう許可することができるかどうかも保証することはできない。
【先行技術文献】
【特許文献】
【００１０】
【特許文献１】韓国実用新案登録第２０−４３２２２７号公報
【特許文献２】韓国実用新案登録第２０−４３２２２８号公報
【特許文献３】韓国登録特許第１０−１０９０１７５号公報
【発明の概要】
【発明が解決しようとする課題】
【００１１】
歯科治療は、前述したように、精神的肉体的に正常な人々だけの歯の損傷を治療するために補綴物を除去するものであり、通常の歯の患者が、そのような器具を直接目で見たり、またはその治療の過程で感じる感触が重要であり、補綴物を除去する機械器具が脅威的な存在に感じられないように配慮することが何よりも重要である。
【００１２】
そうであるにもかかわらず、従来の歯科用補綴物の除去機構は、これらの点を全く考慮していない欠点があった。
【００１３】
本発明は、前述した問題点を解決するために創作されたものであって、本発明の目的は、歯の外面に被せられた補綴を複雑で面倒な機械器具を使用せずに、ユーザーが周辺の歯に全く損傷を与えず、目的対象となる歯に全く損傷を与えずに被せられた補綴だけ簡単かつ容易に除去することができる歯科用補綴の除去部材及びその製造方法を提供することにある。
【課題を解決するための手段】
【００１４】
本発明は、前述した技術的課題を解決するための手段として、手作業用ハンドル機構に結合することができ、前記手作業用ハンドル機構の回転に応じて、その回転力を下部に伝達する第１のヘッドと第２のヘッドを含むして、前記手作業用ハンドルと前記第１のヘッドと第２のヘッドとの間の金属衝撃力を緩和させ、それらの間の弾性結合力を補う弾性ヘッドが含まれている頭部と；前記頭部の下端と接続されており、前記手作業用ハンドル機構に装着された状態で、前記手作業用ハンドル機構を回転させる場合、歯の方向に力を加えて補綴物とネジ部の間にネジ結合を形成することができるように補助してくれる回転圧迫部と；前記回転圧迫部の下端に接続されており、前記手作業用ハンドル機構により回転される場合、前記補綴物の穴に挿入されて、前記補綴物とのネジ結合を形成することになるネジ部と；前記ネジ部の下端に接続されており、前記ネジ部の直径に比べて、より小さな直径を持っており、その下端面が平らな平面であるか、歯の方向に緩やかにラウンドを形成した曲面で形成された底面部と；を含んでおり、前記頭部の最上段と前記底面部の最下段の間の長さは８ミリメートル乃至３０ミリメートルの範囲にあり、前記頭部の長さは３ミリメートル乃至８ミリメートルの範囲にあり、前記ネジ部の長さは、４ミリメートル乃至２０ミリメートルの範囲にあり、前記回転圧迫部の直径の長さは４ミリメートル乃至１０ミリメートルの範囲にあることを特徴とする。
【００１５】
また、本発明による歯科用補綴の除去部材の製造方法は、ステンレス鋼またはチタン鋼で構成され鋼棒を複合機に装着し、その鋼棒の直径を４ミリメートル乃至１０ミリメートルの範囲で形成した後、前記鋼棒の先端部分にブレードを利用して、ミーリング加工により頭部を形成し、前記頭部の長さを３ミリメートル乃至８ミリメートルの範囲で形成する頭部の第１の加工段階（Ｓ２１０）と；前記ミーリング加工作業を停止し、切断オフを利用して、旋盤加工により、前記頭部の中央部に弾性ヘッドの装着用弾性体の結合溝を形成する頭部の第２加工段階（Ｓ２２０）と；前記切断オフの動作を停止し、第２の切断オフを回転圧迫部の下端から底面部に至るまで緩やかな傾斜をなして旋盤作業を継続することにより、回転圧迫部を形成するとともに、ネジ部を形成することができる斜面を提供するテーパ加工段階（Ｓ２３０）と；前記第２の切断オフの作業を停止し、旋盤作業を継続しながら、前記傾斜面にネジ山を形成するが、前記ネジ山のピッチを０．１５ミリメートル乃至０．６ミリメートルの範囲で形成するネジ山形成段階（Ｓ２４０）と；前記旋盤作業を続けながら、前記ネジ山が形成された下部に接続されて底面部を形成するが、ネジ山が形成されておらず、円形の棒形状に構成されており、その先端を平らに形成し、又は緩やかにラウンドさせ形成する底面部形成段階（Ｓ２５０）と；が含まれている。
【００１６】
本発明は、治療対象となる歯にかぶせられた補綴物にネジ結合を形成し、続いて前記歯と前記補綴物との間の結合をネジ結合による反作用的に克服して、前記補綴物を軽く離した後、本発明の歯科用補綴の除去部材を持ち上げることにより、歯の補綴物を簡単かつ容易に分離して除去することができる。
【発明の効果】
【００１７】
本発明による歯科用補綴の除去部材は、ユーザーが歯患者の口腔内に入れて、補綴物の挿入させた状態で、手作業用ハンドル機構を徐々に回してやるだけで、前記補綴物が歯から自然に剥離されて、その状態で、本発明の歯科用補綴の除去部材を軽く持ち上げると、歯から前記補綴物が軽く離脱されることになる利点がある。
【００１８】
また、本発明は、通常のスクリューと同じくらい非常に小さく形成されているものであって、歯の患者が、本発明の製品を直接目で見た場合にも、どのような脅威的な感情や拒否感も感じない利点もある。
【００１９】
また、本発明は、患者の歯補綴物に挿入させた状態で、ユーザーが手で徐々に回してやるだけされるため、歯の患者にどのような傷も与えなくなり、他の歯や口腔内にどのような形の損傷や傷とを与えなくなるので、ユーザー側でも安全に使用できる利点もあるだろう。
【図面の簡単な説明】
【００２０】
【図１】図１は、本発明による歯科用補綴の除去部材の概略的な斜視図である。
【図２】図２は、本発明による歯科用補綴の除去部材の分解状態斜視図である。
【図３ａ】図３ａは、本発明による歯科用補綴の除去部材の断面図である。
【図３ｂ】図３ｂは、本発明による歯科用補綴の除去部材の他の実施形態断面図である。
【図４ａ】図４ａは、本発明による歯科用補綴の除去部材の実施状態例示図である。
【図４ｂ】図４ｂは、本発明による歯科用補綴の除去部材の他の実施状況の例示図である。
【図５ａ】図５ａは、本発明を利用して、補綴を削除する順次概略図である。
【図５ｂ】図５ｂは、本発明を利用して、補綴を削除する順次概略図である。
【図５ｃ】図５ｃは、本発明を利用して、補綴を削除する順次概略図である。
【図６】図６は、本発明による歯科用補綴の除去部材を製造する段階を示した概略的なブロック図である。
【図７ａ】図７ａは、従来の歯科用補綴を削除する機構に関する概略図である。
【図７ｂ】図７ｂは、従来の歯科用補綴を削除する機構に関する概略図である。
【発明を実施するための形態】
【００２１】
以下、本発明の好適な実施例を例示図面に基づいて詳細に説明する。ただし、添付された図面は、本発明の技術思想をより詳細に説明するためのものだけであり、本発明の技術思想がこれに限定されるものではなく、様々な変形が可能であることを事前に明らかにしておく。また、この技術分野で広く知られており、誰でも簡単に知ることができる部分については、具体的な説明を省略する。
【００２２】
本発明は、歯の外面に被せられた補綴を簡単かつ容易に分離除去することができる歯科用補綴の除去部材１００を提供する。
【００２３】
図１は、本発明による歯科用補綴の除去部材１００を概略的に示す斜視図であり、図２は、前記図１の歯科用補綴の除去部材１００を弾性ヘッド１１６と分離させた状態を示した分解状態斜視図である。
【００２４】
また、図３ａは、本発明による歯科用補綴の除去部材１００を切開した断面図であり、図３ｂは、前記図３ａの他の実施例を示したものであって、ネジ部１３０を少し変更させた状態を示している。
【００２５】
本発明による歯科用補綴の除去部材１００は、手作業用ハンドル機構１０に結合することができる頭部１１０を含んでいる。
【００２６】
前記頭部１１０は、手作業用ハンドル機構１０に結合することができるものであって、第一の上部にある第１のヘッド１１２とその下部にある第２のヘッド１１４を含んでおり、前記第１ヘッド１１２と前記第２のヘッド１１４の間には、弾性ヘッド１１６を含んでいる。本発明において、前記手作業用ハンドル機構１０とは、ユーザーが手で直接取った状態で、前記第１のヘッド１１２と第２のヘッド１１４と弾性ヘッド１１６とを結合させて回動させることができる機構として、その機構を手で作動させることができるハンドルキーまたはラッチ部材などを意味する。したがって、本発明は、先行技術において提供している複雑な機械装置を使用する必要が全くない。
【００２７】
前記第１のヘッド１１２は、本発明の歯科用補綴の除去部材１００の最上段に位置し、前記手作業用ハンドル機構１０に結合することができる三角形、四角形、六角形、または八角形の形に形成することが望ましい。
【００２８】
前記第２のヘッド１１４は、やはり前記第１のヘッド１１２と同じ形状に製作する必要があり、前記第１のヘッド１１２と手作業用ハンドル機構１０との間の結合力を補う接触のために必要である。前記第１のヘッド１１２と前記第２のヘッド１１４の形状が異なる場合には、前記ハンドル機構１０に結合することができる領域が前記第１のヘッド１１２に限定されるので、望ましくない。
【００２９】
前記弾性ヘッド１１６は、前記第１のヘッド１１２と前記第２のヘッド１１４との間に存在して、前記第１のヘッド１１２と前記第２のヘッド１１４とを互いに分割することになる。この点では、前記弾性ヘッド１１６は、前記手作業用ハンドル機構１０と前記第１のヘッド１１２と前記第２のヘッド１１４との間の接触面積を減らして相互間の結合力を弱化させる側面があるが、一方では、前記手作業用ハンドル機構１０を使用して回転力を伝達することになる場合、前記第１のヘッド１１２と前記第２のヘッド１１４との間で発生する金属の衝撃を緩和させてくれる利点を提供することになる。これにより、患者の歯に伝達される金属衝撃力を緩和させて、患者にとって、治療の過程中に快適な感情を維持させてくれることができるようになる。また、前記弾性ヘッド１１６は、手作業用ハンドル機構１０を前記第１のヘッド１１２と前記第２のヘッド１１４とに挿入させて結合する場合、エラストマーの作用で、本発明の歯科用補綴の除去部材１００が前記手作業用ハンドル機構１０から離れていくのを防止することになる。
【００３０】
したがって、前記弾性ヘッド１１６は、前記手作業用ハンドル機構１０と前記第１のヘッド１１２及び第２のヘッド１１４との間の金属衝撃力を緩和させ、それらの間の弾性結合力を補充してくれる機能を遂行するものである。
【００３１】
前記頭部１１０は、上下間の全体的な長さ（ｈ１）が前記第１のヘッド１１２と前記第２のヘッド１１４と、前記弾性ヘッド１１６を含む３ミリメートル乃至８ミリメートルの範囲にあることが望ましい。前記頭部１１０の全体的な長さ（ｈ１）が３ミリメートル以下の場合には、その接触面積が少なすぎて、前記手作業用ハンドル機構１０とよく結合されなかった一方で、前記頭部１１０の長さ（ｈ１）が８ミリメートル以上の場合には、本発明の全体的な長さ（ｈ４）を相対的に増やしてくれ、また、前記手作業用ハンドル機構１０との結合部位が大きすぎて望ましくない。
【００３２】
本発明は、前記頭部１１０の底部に接続されている回転圧迫部１２０を含んでいる。
【００３３】
前記回転圧迫部１２０は、前記頭部１１０とネジ部１３０の間に存在し、前記頭部１１０から伝達された回転力を、その下方に続くネジ部１３０に伝達してくれるようになる。すなわち、前記回転圧迫部１２０は、前記手作業用ハンドル機構１０が継続して下の歯の方向に下がることを防止するストッパーとしての機能を遂行すると同時に、前記手作業用ハンドル機構１０によって、下の歯の方向に加わる加圧力をネジ部１３０に伝達する機能を実行することで、さらに具体化される。前記ストッパーとしての機能と加圧力の伝達機能とは、前記回転圧迫部１２０の上部に位置する段差１２２を介して行われる。したがって、前記回転圧迫部１２０は、前記手作業用ハンドル機構１０を回転させながら下方に圧力を加える場合、前記回転力と前記加圧力は、前記段差１２２にそのまま伝達される。前記回転圧迫部１２０は、補綴物２０とネジ部１３０との間にネジ結合を形成することができるように補助してくれる。本発明では、前記「ネジ結合を補助してくれる」とは、前記回転圧迫部１２０が直接ネジ結合を形成することはありませんが、前記回転圧迫部１２０を介して伝達される回転力と加圧力とによって、前記ネジ部１３０が、前記補綴物２０に対してネジ結合を形成することができる力を提供してくれることをいう。
【００３４】
前記回転圧迫部１２０は、その外径が円筒形で行われたものであり、本発明において最も大きな外径を持っている部分である。前記回転圧迫部１２０の直径は４ミリメートル乃至１０ミリメートルの範囲に属することが望ましい。前記回転圧迫部１２０の直径が４ミリメートル以下である場合には、小さすぎてユーザー（歯科医師など）が手に把持して作業をしにくく、また、前記ネジ部１３０の直径に否定的な影響を与えるので、望ましくはない。すなわち、後者の場合、前記ネジ部１３０の直径は、前記回転圧迫部１３０の直径よりも小さく形成されるべきが、前記ネジ部１３０の直径が小さすぎる形成なると、たとえネジ部１３０と補綴物２０が互いにネジ結合を形成しても、そのネジ結合による結合力が弱くなっているからである。一方、前記回転圧迫部１２０の直径が１０ミリメートル以上の場合には、歯科用補綴の除去部材１００が相対的に大きくなって、ユーザー（歯科医師など）が手に把持して操作するのに負担を与えることになり、また、周辺の歯に対して否定的な影響を与える可能性がありますので、望ましいものではない。
【００３５】
本発明は、前記回転圧迫部１２０の底部に接続されているネジ部１３０を含んでいる。
【００３６】
前記ネジ部１３０は、前記回転圧迫部１２０の底部に接続されており、前記手作業用ハンドル機構１０により回転される場合、前記補綴物２０の穴２２に挿入されて、前記補綴物２０とネジ結合を形成することになる。ユーザーが前記手作業用ハンドル機構１０を前記頭部１１０に結合させて、左または右に回転させると、前記ネジ部１３０は、回転しながら、前記補綴物２０にネジ結合を形成することになる。この際、前記ネジ部１３０は、補綴物２０にネジ結合を形成することになるが、前記補綴物２０の材質とその厚さによって大きく影響を受けることになる。前記補綴物２０は、通常、銀や金やタングステンなどの金属材料で構成されているが、その厚さは、１ミリメートルから２ミリメートルを成しているものがほとんどである。
【００３７】
前記ネジ部１３０は、前記補綴物２０とのネジ結合を効率的かつ安全に達成するために、ネジとネジとの間のピッチを０．１５ミリメートル乃至０．６ミリメートルの範囲で形成することが望ましい。前記ネジのピッチを０．１５ミリメートル以下に形成する場合にはネジのピッチが非常に密して前記補綴物２０とのネジ結合時、その結合力が弱くなりますので望ましくない。前記ネジのピッチを０．６ミリメートル以上で形成する場合には、前記補綴物２０との組み合わせで、互いにかみ合うネジ山の数が少なくなりますので、やはりネジ結合力が弱くなりますので望ましくない。例えば、前記補綴物２０の厚さが約１ミリメートルであり、前記ネジのピッチが０．６ミリメートルの場合に約１回程度にとどまり、十分な結合力を提供することができない。前記ネジ部１３０は、下から上に上がりながら、その直径がより大きく形成されることが望ましい。
【００３８】
前記ネジ部１３０は、前記補綴物２０とのネジ結合を効率的かつ安全に達成するために、ネジ部の全体の長さ（ｈ２）を４ミリメートル乃至２０ミリメートルの範囲で形成することが望ましい。前記ネジ部の全体の長さ（ｈ２）が４ミリメートル以下の場合には、前記補綴物２０との結合力が弱い恐れがあるので望ましくない。
【００３９】
前記ネジ部の全体の長さ（ｈ２）は、治療対象となる歯３０と前記補綴物２０との間の深さと密接な関係を持っている。通常補綴物２０の除去は、すでに歯３０に被せられた状態で行われるようにされ、前記補綴物２０を前記歯３０の表面に直接重ね貼りする事例もあるが、場合によっては、前記歯３０の表面にセメントなどの充填物を詰め、その充填物上に前記補綴物２０を形成する事例も存在する。このような場合、前記充填物の深さが４ミリメートル乃至５ミリメートルに至る事例も存在することになりますので、そのような深さを考えると、前記ネジ部の全体の長さ（ｈ２）が４ミリメートル以下であっては困る。
【００４０】
また、前記ネジ部の全体の長さ（ｈ２）は、前記補綴物２０の厚さとも密接な関係を持っている。前記補綴物２０は、通常、金や銀やタングステンなどで形成されているが、その厚さは、１ミリメートル乃至２ミリメートルの範囲内にある。この際、前記ネジ部１３０のネジ山が１ミリメートル乃至２ミリメートルの厚さの補綴物２０に直接ネジ結合を形成しなければならなので、前記ネジ部の長さ（ｈ２）が４ミリメートル以下の場合には、正常に前記補綴物２０に結合されてネジ結合を形成しにくくなる。もし、歯３０に充填物が満たされており、その上に補綴物２０が形成されている場合には、底面部１４０の長さ（ｈ３）によって、前記ネジ部１３０の位置が前記補綴物２０の位置に対応することになるので、本発明は、いかなる場合にも、前記ネジ部１３０と前記補綴物２０とは、互いにネジ結合を形成することになる。
【００４１】
一方、前記ネジ部の全体の長さ（ｈ２）が２０ミリメートル以上の場合には、ネジ部１３０と補綴物２０との間の結合関係により改善された結果をもたらすわけでもなく、全体的な長さ（ｈ４）だけ大きくしているので、望ましいものではない。
【００４２】
本発明は、前記ネジ部１３０の底部に接続されている底面部１４０を含んでいる。
【００４３】
前記底面部１４０は、前記ネジ部１３０の底部に接続されており、前記ネジ部１３０の直径に比べて、より小さな直径を持っており、その下端面が平らな平面であるか、歯の方向に緩やかにラウンドを形成する曲面である。
【００４４】
前記底面部１４０は、前記手作業用ハンドル機構１０を継続的に回転させて、本発明の歯科用補綴の除去部材１００が、前記歯３０の表面に触れた場合、これ以上進行しないようにして、前記歯３０の表面からアイドリングをするようにすることにより、前記ネジ部１３０と前記補綴物２０とは、ネジ結合力により前記補綴物２０を少し上に持ち上げることになる。この場合、前記歯３０の表面に接着されていた前記補綴物２０が前記歯３０から離れることになる。一般的に、前記歯３０の表面は、最初の歯の矯正や治療の際に平らに切削してくれますが、その表面が必ずしも平らとすることがでないので、前記底面部１４０の先端をラウンド形状の曲面に形成することがより好ましい。
【００４５】
前記底面部１４０の長さ（ｈ３）は、前記ネジ部１３０で延長された状態で、その先端を平らに形成したり、緩やかにラウンドさせ形成することができる。この点では、前記底面部１４０の長さ（ｈ３）は、０．１ミリメートル乃至８ミリメートルの範囲で形成することが望ましい。しかしながら、前記底面部１４０の長さ（ｈ３）は、必ず、前記長さに限定される必要はなく、増減が可能である。
【００４６】
本発明は、前記頭部１１０の最上段と前記底面部１４０の最下段の間の全体の長さ（ｈ４）が８ミリメートル乃至３０ミリメートルの範囲にあることが望ましい。前記全長（ｈ４）は、歯の患者の口腔内に入って歯３０に挿入することができ、また、手作業用ハンドル機構１０を結合させて返すことができなければならない。一方、歯の患者には口腔を大きくしすぎるなどの負担を与えてはいない。したがって、前記全長（ｈ４）が３０ミリメートル以上の場合には、口腔内に挿入して作業を進めにくくまた、歯の患者に相当な負担を与える側面があるので、望ましくない。また、前記全長（ｈ４）が８ミリメートル以下の場合には、前記頭部１１０の長さ（ｈ１）と前記ネジ部１３０の長さ（ｈ２）とを十分に確保することが困難な側面があるので、望ましくない。もっと好ましくは、前記全長（ｈ４）が１２ミリメートル乃至２０ミリメートルの範囲である。これらの範囲内で、前記各構成要素の長さは、患者の年齢、性別、口腔の構造ないしサイズなどの状況に応じて適切に選択して決定することができる。
【００４７】
また、本発明は、前記歯科用補綴の除去部材１００を製造する方法を提供する。
【００４８】
図６は、本発明による歯科用補綴の除去部材を製造する段階を示した概略的なブロック図である。
【００４９】
本発明による歯科用補綴の除去部材１００の製造方法は、原材料である金属材料の鋼棒から頭部１１０を形成する頭部の第１の加工段階（Ｓ２１０）を含んでいる。
【００５０】
前記頭部の第１の加工段階（Ｓ２１０）は、原材料である金属材料の鋼棒をコンピュータ制御方式で動作する複合機に装着し、その鋼棒の直径を４ミリメートル乃至１０ミリメートルの範囲で形成することにより開始される。前記鋼棒は旋盤加工によって、その外周面が平滑で滑らかに形成される。前記旋盤加工作業が完了したら、前記鋼棒の直径は、前記回転圧迫部１２０の直径を成すようになって、前記鋼棒の外周面は、前記回転圧迫部１２０の平滑な外周面を形成することになる。
【００５１】
前記頭部の第１の加工段階（Ｓ２１０）は、前記旋盤作業を停止し、前記鋼棒の先端部分にブレードを利用して、ミーリング加工によって頭部１１０を形成するが、前記頭部１１０の長さ（ｈ１）を３ミリメートル乃至８ミリメートルの範囲で形成する。このとき、前記ブレードは、工作機械の加工分野では周知されて慣用的に使用されているので、別途表記していなかった。
【００５２】
本発明による歯科用補綴の除去部材１００の製造方法は、前記ミーリング加工作業を停止し、切断オフを利用して、旋盤加工により前記頭部１１０の中央部に弾性体の結合溝１１８を形成する頭部の第２加工段階（Ｓ２２０）を含んでいる。
【００５３】
前記頭部の第２加工段階（Ｓ２２０）は、前記頭部１１０を２つの部分に分割する作業であり、その分割された部分に弾性体の結合溝１１８を形成することになる。これらの操作は、切断オフを利用して、旋盤加工によって行われる。前記弾性体の結合溝１１８は、ゴム材質またはシリコン材質のように弾性を提供する材料からなる弾性体を挿入させてくれる部分である。弾性体が挿入される場合、前記弾性体の結合溝１１８は、弾性ヘッド１１６を形成する用途に活用することができる。この時、前記切断オフの場合でも、工作機械の加工分野では周知されて慣用的に使用されているので、別途表記していなかった。
【００５４】
本発明による歯科用補綴の除去部材１００の製造方法は、前記切断オフの動作を停止し、第２の切断オフを回転圧迫部１２０の底部から底面部１４０に至るまでなだらかな傾斜をなして旋盤作業を継続するテーパ加工段階（Ｓ２３０）を含んでいる。
【００５５】
前記テーパ加工段階（Ｓ２３０）は、旋盤加工を継続しながら、第２の切断オフを利用して、前記頭部１１０の下部から１ミリメートル乃至５ミリメートルの長さだけ離間させて緩やかな傾斜面１３３を形成する作業である。前記テーパ加工段階（Ｓ２３０）を終えると、回転圧迫部１２０を形成するとともに、ネジ部１３０を形成することができる傾斜面１３３を提供することになる。この時、前記第２の切断オフの場合でも、工作機械の加工分野では周知されて慣用的に使用されているので、これも別途表記していなかった。
【００５６】
本発明による歯科用補綴の除去部材１００の製造方法は、前記第２の切断オフの作業を停止し、旋盤作業を継続しながら、前記傾斜面１３３にネジ山を形成するネジ山形成段階（Ｓ２４０）を含んでいる。
【００５７】
前記ネジ山形成段階（Ｓ２４０）は、通常の方法で、前記傾斜面１３３にネジ山を形成するが、前記ネジ山のピッチを０．１５ミリメートル乃至０．６ミリメートルの範囲で形成するのが良い。前記ネジ山のピッチを０．１５ミリメートル以下の範囲で形成する場合には、あまりにも微細で補綴物２０との結合力が弱まることができる一方で、０．６ミリメートル以上の範囲で形成する場合にも、前記補綴物２０と結合されているネジ山の数が少なく、前記補綴物２０との結合力が弱く望ましいものではない。
【００５８】
また、前記ネジ山形成段階（Ｓ２４０）は、ネジ部１３０の全体の長さ（ｈ２）を４ミリメートル乃至２０ミリメートルの範囲で形成することが望ましい。その理由については、すでに詳細に説明したので、これを省略することにする。
【００５９】
本発明による歯科用補綴の除去部材１００の製造方法は、前記旋盤作業を継続しながら、前記ネジ部１３０の底部に接続された底面部１４０を形成する底面部形成段階（Ｓ２５０）が含まれている。
【００６０】
前記底面部形成段階（Ｓ２５０）は、ネジ部１３０で延長された部位を旋盤加工によって平らな外周面に形成し、その先端を平らに形成したり、緩やかにラウンドさせ形成する段階である。前記底面部形成段階（Ｓ２５０）を完了すると、前記底面部１４０は、円形の棒形状に構成されており、その先端は平らに形成されていたり、緩やかにラウンドさせ形成されているようになる。
【００６１】
本発明による歯科用補綴の除去部材１００の製造方法は、前記各種製造段階をそれぞれその逆の順序で進行して行うこともできる。
【００６２】
このような方法で製造された本発明の歯科用補綴の除去部材１００は、次のような方法で、歯の外面に被せられた補綴物２０を簡単かつ容易に除去することができる。
【００６３】
図４ａは、本発明による歯科用補綴の除去部材１００の実施状況例示図であり、図４ｂは、前記歯科用補綴の除去部材１００の他の実施状況の例示図であり、図５ａ〜図５ｃは、本発明を利用して、補綴を除去する過程を順次示した概略図である。
【００６４】
まず、治療対象となる歯３０の外部に被せられた補綴物２０に小さな穴２２を形成する。前記小孔２２は、一般的に使われている治工具によって形成することができる。
【００６５】
前記補綴物２０の小さな穴２２に、本発明の歯科用補綴の除去部材１００の底部を挿入させる。この場合、前記底面部１４０が挿入される。
【００６６】
前記頭部１１０に前記手作業ハンドル機構１０を結合させて、前記手作業ハンドル機構１０を左方向または右方向に徐々に回しながら下に向かって少し力を加える。前記手作業ハンドル機構１０により、本発明の歯科用補綴の除去部材１００が回転するようになり、前記ネジ部１３０が、前記補綴物２０にネジ結合を形成しながら下方に徐々に下りて、前記底面部１４０が歯３０の表面に触れるようになる。
【００６７】
前記底面部１４０が歯３０の表面に触れた状態で、前記手作業ハンドル機構１０を徐々にさらに回すと、前記ネジ部１３０に結合されていた前記補綴物２０が、前記歯３０から少し浮き上がり、剥離されて、もう少し回すと、前記補綴物２０が、ほぼ歯３０から分離される。
【００６８】
この時、本発明による歯科用補綴の除去部材１００を軽く持ち上げるようにすれば、前記補綴物２０は、自ら前記歯３０から分離されて、簡単かつ容易に、前記歯３０から除去される。
【００６９】
このように、本発明は、複雑でなく、簡単な治療のためのツールを使用することにより、歯科治療を受けようとする患者に嫌悪感を全く与えない、実際に使用する過程でもどのようなノイズや痛みも誘発させない利点がある。また、本発明は、ユーザー（歯科医師）が直接手で操作することになりますので、患者が安心して治療に臨むことができるメリットもある。
【００７０】
以上で、本発明による歯科用補綴の除去部材１００及びその製造方法を具体的に説明したが、これは本発明の最も好ましい実施形態を記載したものであり、本発明がこれに限定されるものではなく、添付された特許請求の範囲によってその範囲が決定され限定される。
【００７１】
また、この技術分野で通常の知識を有する者であれば、誰でも、本発明の明細書の記載内容によって様々な変形及び模倣を行うことができることや、これも本発明の範囲を外れたことでないことは明らかである。
【符号の説明】
【００７２】
１０：手作業ハンドル機構
２０：補綴物
２２：小さな穴
３０：歯
１００：歯科用補綴の除去部材（本発明）
１１０：頭部
１１２：第１のヘッド
１１４：第２のヘッド
１１６：弾性ヘッド
１１８：エラストマー結合溝
１２０：回転圧迫部
１３０：ネジ部
１４０：底面部
【図１】
2017104504.tif 000003
【図２】
2017104504.tif 000004
【図３ａ】
2017104504.tif 000005
【図３ｂ】
2017104504.tif 000006
【図４ａ】
2017104504.tif 000007
【図４ｂ】
2017104504.tif 000008
【図５ａ】
2017104504.tif 000009
【図５ｂ】
2017104504.tif 000010
【図５ｃ】
2017104504.tif 000011
【図６】
2017104504.tif 000012
【図７ａ】
2017104504.tif 000013
【図７ｂ】
2017104504.tif 000014
【手続補正書】
【提出日】平成29年2月4日(2017.2.4)
【手続補正１】
【補正対象書類名】特許請求の範囲
【補正対象項目名】全文
【補正方法】変更
【補正の内容】
【特許請求の範囲】
【請求項１】
頭部と、
回転圧迫部と、
ネジ部と、
底面部と、
を備え、
前記頭部は、手作業用ハンドル機構に結合することができ、前記手作業用ハンドル機構の回転に応じて、その回転力を伝えることができる第１のヘッド及び第２のヘッドと、前記第１のヘッドと前記第２のヘッドとの間に存在する弾性ヘッドとを含んでいて、前記弾性ヘッドが前記手作業用ハンドル機構と前記第１のヘッド及び前記第２のヘッドとの間の金属衝撃力を緩和させ、弾性結合力を補い、
前記回転圧迫部は、前記頭部の下端と接続されており、前記頭部に前記手作業用ハンドル機構が装着された状態で、前記手作業用ハンドル機構を、歯に補綴物が被せられる方向に力を加えて回転させる場合、前記補綴物と前記ネジ部との間にネジ結合を形成することができるように補助し、
前記ネジ部は、前記回転圧迫部の下端に接続されており、前記頭部に装着された前記手作業用ハンドル機構により回転される場合、前記補綴物の穴に挿入されて、前記補綴物とのネジ結合を形成することになり、
前記底面部は、前記ネジ部の下端に接続されており、前記ネジ部の直径に比べて、より小さな直径を持っており、その下端面が平らな平面であるか、緩やかにラウンドさせ形成され、
前記頭部の前記第１のヘッド及び前記第２のヘッドと、前記回転圧迫部と、前記ネジ部と、前記底面部とは、一部材に形成され、
前記頭部の最上段と前記底面部の最下段との間の全体の長さは８ミリメートル乃至３０ミリメートルの範囲にあり、
前記頭部の長さは３ミリメートル乃至８ミリメートルの範囲にあり、
前記ネジ部の長さは４ミリメートル乃至２０ミリメートルの範囲にあり、
前記回転圧迫部の外径の直径の長さは４ミリメートル乃至１０ミリメートルの範囲にあることを特徴とする、歯科用補綴の除去部材。
【請求項２】
前記ネジ部は、ネジのピッチを０．１５ミリメートル乃至０．６ミリメートルの範囲で形成することを特徴とする、請求項１に記載の歯科用補綴の除去部材。
【請求項３】
前記第１のヘッド及び前記第２のヘッドは、三角形、四角形、六角形、または八角形の形に形成され、
前記回転圧迫部は、その外径が円筒形であり、前記頭部と前記回転圧迫部とが接続された方向から見ると、前記第１のヘッド及び前記第２のヘッドの外側に延在する段差を含むことを特徴とする、請求項１又は２に記載の歯科用補綴の除去部材。
【手続補正３】
【補正対象書類名】明細書
【補正対象項目名】００１４
【補正方法】変更
【補正の内容】
【００１４】
本発明による歯科用補綴の除去部材は、前述した技術的課題を解決するための手段として、頭部と、回転圧迫部と、ネジ部と、底面部と、を備える。前記頭部は、手作業用ハンドル機構に結合することができ、前記手作業用ハンドル機構の回転に応じて、その回転力を下部に伝達する第１のヘッド及び第２のヘッドと、前記第１のヘッドと前記第２のヘッドとの間に存在する弾性ヘッドとを含んでいて、前記弾性ヘッドが前記手作業用ハンドル機構と前記第１のヘッド及び前記第２のヘッドとの間の金属衝撃力を緩和させ、それらの間の弾性結合力を補う。前記回転圧迫部は、前記頭部の下端と接続されており、前記頭部に前記手作業用ハンドル機構が装着された状態で、前記手作業用ハンドル機構を回転させる場合、歯に補綴物が被せられる方向に力を加えて前記補綴物と前記ネジ部との間にネジ結合を形成することができるように補助してくれる。前記ネジ部は、前記回転圧迫部の下端に接続されており、前記頭部に装着された前記手作業用ハンドル機構により回転される場合、前記補綴物の穴に挿入されて、前記補綴物とのネジ結合を形成することになる。前記底面部は、前記ネジ部の下端に接続されており、前記ネジ部の直径に比べて、より小さな直径を持っており、その下端面が平らな平面であるか、緩やかにラウンドを形成した曲面で形成される。前記頭部の前記第１のヘッド及び前記第２のヘッドと、前記回転圧迫部と、前記ネジ部と、前記底面部とは、一部材に形成される。前記頭部の最上段と前記底面部の最下段の間の長さは８ミリメートル乃至３０ミリメートルの範囲にあり、前記頭部の長さは３ミリメートル乃至８ミリメートルの範囲にあり、前記ネジ部の長さは、４ミリメートル乃至２０ミリメートルの範囲にあり、前記回転圧迫部の直径の長さは４ミリメートル乃至１０ミリメートルの範囲にある。
【手続補正書】
【提出日】平成29年3月26日(2017.3.26)
【手続補正１】
【補正対象書類名】特許請求の範囲
【補正対象項目名】全文
【補正方法】変更
【補正の内容】
【特許請求の範囲】
【請求項１】
頭部と、
回転圧迫部と、
下穴にめねじを加工するように構成されたおねじを有するネジ部と、
底面部と、
を備え、
前記頭部は、手作業用ハンドル機構に結合することができ、前記手作業用ハンドル機構の回転に応じて、その回転力を伝えることができる第１のヘッド及び第２のヘッドと、前記第１のヘッドと前記第２のヘッドとの間に存在する弾性ヘッドとを含んでいて、前記弾性ヘッドが前記手作業用ハンドル機構と前記第１のヘッド及び前記第２のヘッドとの間の金属衝撃力を緩和させ、弾性結合力を補い、
前記回転圧迫部は、前記頭部の下端と接続されており、前記頭部に前記手作業用ハンドル機構が装着された状態で、前記手作業用ハンドル機構を、歯に補綴物が被せられる方向に力を加えて回転させる場合、前記補綴物と前記ネジ部との間にネジ結合を形成することができるように補助し、
前記ネジ部は、前記回転圧迫部の下端に接続されており、前記頭部に装着された前記手作業用ハンドル機構により回転される場合、前記補綴物の穴に挿入されて、前記穴にめねじを加工しながら、前記補綴物とのネジ結合を形成することになり、
前記底面部は、前記ネジ部の下端に接続されており、前記ネジ部の直径に比べて、より小さな直径を持っており、その下端面が平らな平面であるか、緩やかにラウンドさせ形成され、
前記頭部の前記第１のヘッド及び前記第２のヘッドと、前記回転圧迫部と、前記ネジ部と、前記底面部とは、一部材に形成され、
前記頭部の最上段と前記底面部の最下段との間の全体の長さは８ミリメートル乃至３０ミリメートルの範囲にあり、
前記頭部の長さは３ミリメートル乃至８ミリメートルの範囲にあり、
前記ネジ部の長さは４ミリメートル乃至２０ミリメートルの範囲にあり、
前記回転圧迫部の外径の直径の長さは４ミリメートル乃至１０ミリメートルの範囲にあることを特徴とする、歯科用補綴の除去部材。
【請求項２】
前記ネジ部の前記おねじは、前記めねじのピッチを０．１５ミリメートル乃至０．６ミリメートルの範囲で形成するように構成されたことを特徴とする、請求項１に記載の歯科用補綴の除去部材。
【請求項３】
前記第１のヘッド及び前記第２のヘッドは、三角形、四角形、六角形、または八角形の形に形成され、
前記回転圧迫部は、その外径が円筒形であり、前記頭部と前記回転圧迫部とが接続された方向から見ると、前記第１のヘッド及び前記第２のヘッドの外側に延在する段差を含むことを特徴とする、請求項１又は２に記載の歯科用補綴の除去部材。
【手続補正２】
【補正対象書類名】明細書
【補正対象項目名】００１４
【補正方法】変更
【補正の内容】
【００１４】
本発明による歯科用補綴の除去部材は、前述した技術的課題を解決するための手段として、頭部と、回転圧迫部と、下穴にめねじを加工するように構成されたおねじを有するネジ部と、底面部と、を備える。前記頭部は、手作業用ハンドル機構に結合することができ、前記手作業用ハンドル機構の回転に応じて、その回転力を下部に伝達する第１のヘッド及び第２のヘッドと、前記第１のヘッドと前記第２のヘッドとの間に存在する弾性ヘッドとを含んでいて、前記弾性ヘッドが前記手作業用ハンドル機構と前記第１のヘッド及び前記第２のヘッドとの間の金属衝撃力を緩和させ、それらの間の弾性結合力を補う。前記回転圧迫部は、前記頭部の下端と接続されており、前記頭部に前記手作業用ハンドル機構が装着された状態で、前記手作業用ハンドル機構を回転させる場合、歯に補綴物が被せられる方向に力を加えて前記補綴物と前記ネジ部との間にネジ結合を形成することができるように補助してくれる。前記ネジ部は、前記回転圧迫部の下端に接続されており、前記頭部に装着された前記手作業用ハンドル機構により回転される場合、前記補綴物の穴に挿入されて、前記穴にめねじを加工しながら、前記補綴物とのネジ結合を形成することになる。前記底面部は、前記ネジ部の下端に接続されており、前記ネジ部の直径に比べて、より小さな直径を持っており、その下端面が平らな平面であるか、緩やかにラウンドを形成した曲面で形成される。前記頭部の前記第１のヘッド及び前記第２のヘッドと、前記回転圧迫部と、前記ネジ部と、前記底面部とは、一部材に形成される。前記頭部の最上段と前記底面部の最下段の間の長さは８ミリメートル乃至３０ミリメートルの範囲にあり、前記頭部の長さは３ミリメートル乃至８ミリメートルの範囲にあり、前記ネジ部の長さは、４ミリメートル乃至２０ミリメートルの範囲にあり、前記回転圧迫部の直径の長さは４ミリメートル乃至１０ミリメートルの範囲にある。
【手続補正３】
【補正対象書類名】明細書
【補正対象項目名】００１５
【補正方法】変更
【補正の内容】
【００１５】
好ましくは、前記ネジ部の前記おねじは、前記めねじのピッチを０．１５ミリメートル乃至０．６ミリメートルの範囲で形成するように構成されている。
好ましくは、前記第１のヘッド及び前記第２のヘッドは、三角形、四角形、六角形、または八角形の形に形成される。前記回転圧迫部は、その外径が円筒形であり、前記頭部と前記回転圧迫部とが接続された方向から見ると、前記第１のヘッド及び前記第２のヘッドの外側に延在する段差を含む。